(57)【要約】【課題】吊り手の有無や形状に制限されることなく幅広い容器に適用可能な、機能性や操作性に優れたホース固定具を提供すること。【解決手段】  ホース保持部材２０が一体的に形成された挟持部材１０と、この挟持部材１０と対になる挟持部材１２と、これら挟持部材を回動可能に接合する接合部材と、これら挟持部材を付勢する弾性部材とにより形成される。挟持部材１０と挟持部材１２は、リングバネ３０により通常では下部が閉じた状態であるとともに上部が略Ｙ字形に広がった状態で付勢され、この上部を両側から内側に向けて力を加えることにより接合部材１４を支点として下部が広がり、所望の容器の開口部に取り付けることができる。【選択図】      図１
2007064375.tif 000002
【特許請求の範囲】
【請求項１】
容器の開口部を挟持することによってこの開口部の所望の場所に着脱自在に取付可能な取付手段と、
前記取付手段と一体的に形成され、ホースを着脱自在に装着することが可能なホース保持手段とを有することを特徴とするホース固定具。
【請求項２】
請求項１に記載のホース固定具において、前記ホース保持手段は、
ホースを保持する略丸穴形状のホース保持部と、このホース保持部に連通して前記ホースの直径よりも狭小な切欠部とが形成されていることを特徴とするホース固定具。
【請求項３】
請求項１に記載のホース固定具において、前記取付手段は、前記ホース保持手段が一体的に形成された第1の挟持部材と、この第１の挟持部材と対になる第２の挟持部材と、前記第1の挟持部材と第２の挟持部材を回動可能に接合する接合部材と、前記第1の挟持部材と第２の挟持部材を付勢する弾性部材とを有し、
前記第1の挟持部材と第２の挟持部材は、前記弾性部材により通常では下部が閉じた状態であるとともに上部が略Ｙ字形に広がった状態で付勢され、この上部を両側から内側に向けて力を加えることにより前記接合部材を支点として下部が広がり、前記容器の開口部に取り付けられることを特徴とするホース固定具。
【請求項４】
請求項３に記載のホース固定具において、前記弾性部材は円形のリングバネであることを特徴とするホース固定具。
【発明の詳細な説明】
【技術分野】
【０００１】
本発明はホース固定具、より具体的にはバケツや洗面器または鍋や缶等の幅広い容器に適用可能なホース固定具に関する。
【背景技術】
【０００２】
例えばバケツに注水する際、ホースを固定できないと両手を使うことができず、また、水を出しっぱなしにしてその場を離れることができないなど、作業に支障をきたすことがある。そこで、ホースをバケツに固定することができるホース固定具が知られている。
【０００３】
図５はこの種の従来技術におけるホース固定具である。同図に示すようにこのホース固定具は、バケツ１１０の吊り手１２０に一体的にホースを固定する固定手段が形成されている。すなわち、吊り手１２０の回転ヒンジの近傍にリング状の輪１２２を形成し、このリング状の輪１２２の孔１２４にホース１００を差し込むことでホースを固定する構造になっている。
【０００４】
このように、図５に示した従来技術では吊り手１２０に形成された孔１２４にホース１００を挿入して固定することで、手でホース１００を抑える必要が無くなり、両手で作業を行うことが可能となる。また、水を注水する際に傍に居る必要も無くなる。
【０００５】
一方、図５に示した従来技術では、孔１２４にホースを挿入する構造のため、ホースの先端に孔１２４よりも直径が大きい散水用のシャワーヘッドが取り付けられている場合には使用することが出来なかった。また、バケツ１１０の吊り手の一部がホース固定具になっているため、当該バケツ１１０以外での使用ができないという問題があった。そこで、例えば実開平６−５５５４１号公報には、シャワーヘッド付のホースを取り付けることができるとともに、バケツの吊り手に簡単に着脱できるホース固定具が開示されている。
【発明の開示】
【発明が解決しようとする課題】
【０００６】
しかしながら、実開平６−５５５４１号公報の従来技術では、吊り手がない例えば洗面器や鍋または缶等には適用することができなかった。また、吊り手のあるバケツでもあらゆる吊り手に取付可能なわけではなく、吊り手の幅や形状によっては装着できないものもあるという問題もあった。さらに、吊り手に係止部を連通しなければならず取り付ける際の作業性が悪いという問題もあった。
【０００７】
本発明はこのような従来技術の課題を解決し、吊り手の有無や形状に制限されることなく幅広い容器に適用可能な、機能性や操作性に優れたホース固定具を提供することを目的とする。
【課題を解決するための手段】
【０００８】
本発明は上記課題を解決するための手段として、請求項１に記載された発明は、容器の開口部を挟持することによってこの開口部の所望の場所に着脱自在に取付可能な取付手段と、取付手段と一体的に形成され、ホースを着脱自在に装着することが可能なホース保持手段とを有する。また、請求項２に記載された発明は、  請求項１に記載のホース固定具において、ホース保持手段は、ホースを保持する略丸穴形状のホース保持部と、このホース保持部に連通してこのホースの直径よりも狭小な切欠部とが形成されている。
【０００９】
さらに、請求項３に記載された発明は、請求項１に記載のホース固定具において、取付手段は、ホース保持手段が一体的に形成された第1の挟持部材と、この第１の挟持部材と対になる第２の挟持部材と、第1の挟持部材と第２の挟持部材を回動可能に接合する接合部材と、第1の挟持部材と第２の挟持部材を付勢する弾性部材とを有し、第１の挟持部材と第２の挟持部材は、弾性部材により通常では下部が閉じた状態であるとともに上部が略Ｙ字形に広がった状態で付勢され、この上部を両側から内側に向けて力を加えることにより接合部材を支点として下部が広がり、容器の開口部に取り付けられる。また、請求項４に記載された発明は、請求項３に記載のホース固定具において、弾性部材は円形のリングバネである。
【発明の効果】
【００１０】
以上、詳細に説明したように本発明によれば、例えば水道水をホースで注入する場合に、容器の種類や形状に関係なく、誰でも簡単に所望の容器にホースを素早く固定することができる。
【発明を実施するための最良の形態】
【００１１】
次に添付図面を参照して本発明におけるホース固定具の実施の形態を詳細に説明する。
図１を参照すると、本発明におけるホース固定具の第1の実施の形態が図示されている。このホース固定具１は、例えばバケツ等の容器に着脱自在に取り付けられ、水道の蛇口等に取り付けられたホースを固定することができるホース固定具である。図１において、図１(a)はホース固定具１の正面図、図１(b)は側面図、図１(c)は上面図をそれぞれ示している。
【００１２】
ホース固定具１は、挟持部材１０、挟持部材１２、接合部材１４、ホース保持部材２０およびリングバネ３０により形成されている。挟持部材１０と１２は、例えばプリプロピレン等の合成樹脂で形成された、容器の開口部上端に着脱自在に取り付けるための取付部材である。挟持部材１０と１２は、側面から見たときに図１(b)に示すように略Ｙ字形状になるように接合部材１４に回動可能に接合されている。
【００１３】
挟持部材１０にはまた、図１(a)に示すように、ホース保持部材２０が一体的に形成されている。ホース保持部材２０は、ホースを固定するための略丸穴形状の部材であり、ホースの直径よりも狭小な切欠部２２と、切欠部２２から挿入したホースを挿入後に保持するためのホース保持部２４とから形成されている。ホース保持部材２０は、ホースを取り付けて水を注水したときに不安定にならないように、ホース保持部２４の中心が接合部材１４の中心とほぼ同じ位置に形成されている。
【００１４】
また、図１(a)および図１(c)に示すように、挟持部材１０にはホース保持部材２０が形成された反対側の上部に出っ張った矩形状の把持部１１が一体成形されている。このように把持部１１を設けることで、挟持部材１０を持ちやすくするとともに下部を開口するときの操作をやり易くしている。なお、この実施の形態では、ホース保持部材２０は挟持部材１０と同様にポリプロピレン等の合成樹脂で形成されているとしたが、ポリプロピレンよりも保持性能が高い他の合成樹脂で形成しても良い。
【００１５】
挟持部材１０は、図１(b)に示すように、縦方向の中央に挟持部材１２と接合部材１４によって回動自在に接合される接合部１６が形成されている。挟持部材１０と１２は、接合部１４によってこれを支点として回動可能なように取り付けられた後、この間にリングバネ３０が張架されることで、図１(b)に示す矢印Ｆの方向に常時付勢されている。
【００１６】
挟持部材１２は、図１(b)に示すように、上部がテーパ状に広がっており、下部が湾曲して内側に曲がった形状になっている。そして、その下端には矩形状の保持板１５が一体形成されている。保持板１５はより広い面積で容器を圧着するために形成されたものであり、これにはさらに取り付けた後にずれないようゴム１７が貼着されている。
【００１７】
また、ゴム１７の対面にはゴム１８が挟持部材１０に貼着されている。これらゴム１７および１８によって、ホース固定具１を容器に取り付けた後、ホースから注水を行ってホース固定具１に力が加わっても、この容器を確実に圧着できるので外れることが無い。
【００１８】
図４は、挟持部材１０の把持部１１と挟持部材１２の上部とを持ち、図１(b)に示す矢印ＦＲの方向に力を加えて接合部材１４を支点として下部を開いてホース固定具１を容器１１０に装着し、これにホース１００を取り付けて注水作業を行ったときの作業状態を示した斜視図である。同図でも明らかなように、本実施の形態では取り付けられる容器が限定されることが無く、誰でも簡単に素早く容器１１０に装着することが可能である。
【００１９】
図２および図３は本発明によるホース固定具の他の実施の形態を示したものである。これら実施の形態でも第1の実施の形態と同様の作用・効果がある。図２に示した第２の実施の形態のホース固定具２は、第１の実施の形態のホース固定具１よりも構造をシンプルにしたものである。図２において、図２(a)はホース固定具２の正面図を、図２(b)は側面図を、図２(c)は上面図をそれぞれ示している。
【００２０】
ホース固定具２は、ホース保持部材５０が一体形成された挟持部材４０と、挟持部材４０と対になる挟持部材４２と、これら挟持部材を接合する接合部材４４およびこれら挟持部材を付勢するリングバネ３２により形成されている。このホース固定具２の材質もホース固定具１と同様にプリプロピレン等の合成樹脂で形成されている。
【００２１】
ホース保持部材５０は、ホースを固定するための略丸穴形状の部材であり、ホースを挿入するためのホースの直径よりも狭小な切欠部５２と、挿入後にホースを保持するためのホース保持部５４とにより形成されている。ホース保持部材５０は、ホースを取り付けて水を注水したときに不安定にならないように、挟持部材４０のほぼ真中に形成されている。
【００２２】
ホース保持具２は、図２(b)に示すように、略Ｖ字形であり、センターよりやや下に接合部材４４が形成され、これにより挟持部材４０と４２とが回動可能なように接合されている。また、リングバネ３２は、挟持部材４０と挟持部材４２とを矢印Ｆの方向に付勢しているバネであり、通常ではこれら挟持部材４０，４２の下端が接触した状態になっている。
【００２３】
ホース保持具２を容器に装着する場合、挟持部材４０と挟持部材４２との上部を指で押さえ、内側に力を加えることで矢印ＦＲ方向に力が加わり、接合部材４４を軸にして回転して挟持部材４０，４２の接触していた下端が開く。この状態で容器に装着することで所望の容器への取り付けが可能となる。
【００２４】
図３に示した第３の実施の形態のホース固定具３は、第１の実施の形態で示したホース固定具１と第２の実施の形態で示したホース固定具２との中間に位置する構造のホース固定具である。図３において、図３(a)はホース固定具３の正面図を、図３(b)は上面図を、図３(c)は通常状態での側面図を、図３(d)は取付時における側面図をそれぞれ示している。
【００２５】
ホース固定具３は、ホース保持部材８０が一体形成された挟持部材７０と、挟持部材７０と対になる挟持部材７２と、これら挟持部材を接合する接合部材９０およびこれら挟持部材を付勢するリングバネ３４により形成されている。このホース固定具３の材質もホース固定具１および２と同様にプリプロピレン等の合成樹脂で形成されている。
【００２６】
ホース保持部材８０は、ホースを固定するための略丸穴形状の部材であり、ホースを挿入するためのホースの直径よりも狭小な切欠部８２と挿入後にホースを保持するためのホース保持部８４とが形成されている。ホース保持部材８０は、接合部材９０よりも上の位置に形成されている。
【００２７】
ホース保持具３は、図３(c)に示すように、略Ｙ字形であり、センターに接合部材９０が形成され、これにより挟持部材７０と７２とが回動可能なように接合されている。また、リングバネ３４は挟持部材７０と挟持部材７２とを矢印Ｆの方向に付勢しているバネであり、通常ではこれら挟持部材７０，７２のそれぞれの下端部７６および７８が接触した状態で係止されている。
【００２８】
ホース保持具３を容器に装着する場合、図３(d)に示すように、挟持部材７０と挟持部材７２との上部を指で押さえ、内側に力を加えることで矢印ＦＲ方向に力が加わり、接合部材９０を軸にして回転して挟持部材７０，７２の接触していた下端部７６と７８とが開く。この状態で容器に装着することで所望の容器への取り付けが可能となる。
【００２９】
以上、本発明によるホース固定具の実施の形態を図面を用いて詳細に説明したが、本発明は特にこれら実施の形態に限定されるものではなく、本発明の精神を逸脱することなく当業者が可能な変形および修正は本発明の範疇に含まれる。すなわち、例えばホース保持部材は本実施の形態では一体形成としたが、後から取り付ける構造とし、材質も挟持部材とは異なるものにしてもよい。また、本実施の形態では挟持部材を付勢する弾性材をリングバネとしたが、同様の機能があれば他の弾性材であってもよい。
【図面の簡単な説明】
【００３０】
【図１】本発明によるホース固定具の第1の実施の形態を示す正面図(a)、側面図(b)、上面図(c)である。
【図２】本発明によるホース固定具の第２の実施の形態を示す正面図(a)、側面図(b)、上面図(c)である。
【図３】本発明によるホース固定具の第３の実施の形態を示す正面図(a)、上面図(b)、通常状態での側面図(c)および装着するときの側面図(d)である。
【図４】図１に示した第1の実施の形態の取付例を示した斜視図である。
【図５】従来技術における取付例を示した斜視図である。
【符号の説明】
【００３１】
１，２，３          
ホース固定具
１０、１２、４０、４２、７０、７２  挟持部材
１４、４４、９０  接合部材
２０、５０、８０  ホース保持部材
３０、３２、３４  リングバネ
【図１】
2007064375.tif 000003
【図２】
2007064375.tif 000004
【図３】
2007064375.tif 000005
【図４】
2007064375.tif 000006
【図５】
2007064375.tif 000007